(57)【要約】【課題】管理費が安く、景観的に美しさが長く保たれる新たな街路樹たる緑化ポールを提供する。【解決手段】地上に周方向に所定の間隔を隔てて起立して設けられる複数の柱部３と、これら柱部３に上下に間隔を隔てて複数設けられた受け板４と、これら受け板４上に設けられ上下に延びる筒状の内側メッシュ層５と、内側メッシュ層５の内周側の空間に充填され植物を生育させるための芯材６と、内側メッシュ層５の外周に内側メッシュ層５を覆うように設けられ植物を植え込むための植込層７と、植込層７内に設けられ植込層７に水を供給する給水管８と、植込層７の外周に巻回され植込層７に植え込まれた植物の通過を許容しつつ植込層７を保持するための外側メッシュ層９とを備えたものである。【選択図】図１
2011067140.tif 000002
【特許請求の範囲】
【請求項１】
地上に周方向に所定の間隔を隔てて起立して設けられる複数の柱部と、これら柱部に上下に間隔を隔てて複数設けられた受け板と、これら受け板上に設けられ上下に延びる筒状の内側メッシュ層と、該内側メッシュ層の内周側の空間に充填され植物を生育させるための芯材と、前記内側メッシュ層の外周に内側メッシュ層を覆うように設けられ植物を植え込むための植込層と、該植込層内に設けられ植込層に水を供給する給水管と、前記植込層の外周に巻回され植込層に植え込まれた植物の通過を許容しつつ植込層を保持するための外側メッシュ層とを備えたことを特徴とする緑化ポール。
【請求項２】
前記受け板上には保水層を収容するための保水容器が設けられた請求項１記載の緑化ポール。
【請求項３】
前記受け板には、前記保水層内の余分な水を排水するための排水孔が形成された請求項２記載の緑化ポール。
【請求項４】
地中に埋設される基礎部を有し、該基礎部には前記柱部を挿入するための挿入部が形成された請求項１〜３のいずれかに記載の緑化ポール。
【請求項５】
前記柱部が前記基礎部に３本以上の複数設けられると共に環状に配置された請求項４記載の緑化ポール。
【請求項６】
前記植込層の上部にドライミストを噴出する噴出部を設け、前記植込層内に噴出部にドライミストを供給するドライミスト供給管を敷設した請求項１〜５のいずれかに記載の緑化ポール。
【発明の詳細な説明】
【技術分野】
【０００１】
本発明は、歩道、公園等に立設してこれらを緑化するための緑化ポールに関するものである。
【背景技術】
【０００２】
近未来の都市の問題として人口減による都市の縮退という問題が急浮上している。
【０００３】
人口密度が減り、都市エリアのインフラの急激な劣化が予想される。
【０００４】
税収減の都市を少しでも快適な生活空間として維持育成するために緑の確保は欠かせない。
【０００５】
都市の代表的な緑としては街路樹が挙げられる。街路樹は、街路樹植栽規制としておおむね８〜１２メートルの間隔で植えられているが、必ずしも木のもつ美しさや景観的な調和になりえていない場合が多く見受けられる。それは樹木の成長率の違いや特性を設計段階で取り入れてないためと考えられ、枝の絡みや強剪定による樹形の崩れが目立ち、また足元では樹木の根が酸素を求めて地表近くをうねっている。また、樹木の根が舗装材を持ち上げていることもよく目にするところである。
【０００６】
樹木は死ぬまで永久に肥大し続ける。それを抑制するために樹木の剪定管理がある。
【先行技術文献】
【特許文献】
【０００７】
【特許文献１】特開平８−１０５０７０号公報
【発明の概要】
【発明が解決しようとする課題】
【０００８】
しかしながら、税収減により、管理エリアは小さくなり、また管理回数は少なくなる傾向にある。
【０００９】
緑化の流れが逆回転し始めている。まだ間に合ううちに街路樹に変わる都市景観を維持する緑が必要となる。
【００１０】
条件としては光合成を行い炭酸同化をし、生命力にあふれた緑の塊である必要がある。
【００１１】
そして本来の樹木にはない美しさと変化に溢れた魅力が必要と考える。例えば、一年中何らかの花が咲いているのも樹木にない魅力となる。
【００１２】
そこで、本発明の目的は、上記課題を解決し、管理費が安く、景観的に美しさが長く保たれる新たな街路樹たる緑化ポールを提供することにある。
【課題を解決するための手段】
【００１３】
上記課題を解決するために本発明は、地上に周方向に所定の間隔を隔てて起立して設けられる複数の柱部と、これら柱部に上下に間隔を隔てて複数設けられた受け板と、これら受け板上に設けられ上下に延びる筒状の内側メッシュ層と、該内側メッシュ層の内周側の空間に充填され植物を生育させるための芯材と、前記内側メッシュ層の外周に内側メッシュ層を覆うように設けられ植物を植え込むための植込層と、該植込層内に設けられ植込層に水を供給する給水管と、前記植込層の外周に巻回され植込層に植え込まれた植物の通過を許容しつつ植込層を保持するための外側メッシュ層とを備えたものである。
【００１４】
前記受け板上には保水層を収容するための保水容器が設けられるとよい。
【００１５】
前記受け板には、前記保水層内の余分な水を排水するための排水孔が形成されるとよい。
【００１６】
地中に埋設される基礎部を有し、該基礎部には前記柱部を挿入するための挿入部が形成されるとよい。
【００１７】
前記柱部が前記基礎部に３本以上の複数設けられると共に環状に配置されるとよい。
【００１８】
前記植込層の上部にドライミストを噴出する噴出部を設け、前記植込層内に噴出部にドライミストを供給するドライミスト供給管を敷設するとよい。
【発明の効果】
【００１９】
本発明によれば、景観的な美しさを安価な管理費で長く保つことができる。
【図面の簡単な説明】
【００２０】
【図１】図１は本発明の実施の形態を示す緑化ポールの側断面図である。
【図２】図２は図１のＡ−Ａ線断面図である。
【図３】図３は緑化ポールの内部構造を示す斜視図である。
【図４】図４は緑化ポールの要部側断面斜視図である。
【図５】図５は緑化ポールの要部斜視図である。
【図６】図６は緑化ポールの上部フレーム構造を示す要部斜視断面図である。
【図７】図７は緑化ポールの基部の平面図である。
【図８】図８（ａ）は緑化ポールの最上段の内側メッシュ層とその内部構造の側断面図であり、図８（ｂ）は緑化ポールの他の段の内側メッシュ層とその内部構造を示す側断面図である。
【図９】図９は緑化ポールの組立手順の第１工程を示す側面図である。
【図１０】図１０は緑化ポールの組立手順の第２工程を示す側面図である。
【図１１】図１１は緑化ポールの組立手順の第３工程を示す側面図である。
【図１２】図１２は緑化ポールの組立手順の第４工程を示す側面図である。
【図１３】図１３は緑化ポールの設置例を示す説明図である。
【発明を実施するための形態】
【００２１】
本発明の実施の形態を図面に基づいて説明する。図１３は緑化ポールの設置例を示す説明図であり、図１は緑化ポールの側断面図であり、図２は図１のＡ−Ａ線矢視断面図であり、図３は緑化ポールの内部構造を示す斜視図である。
【００２２】
図１３に示すように、緑化ポール（バイオポール）１は、歩道、公園等の地面に立設してこれらを緑化するためのものである。緑化ポール１は、街路樹に変わりうる景観を作り出すために３．５ｍから４ｍ程度の高さに形成される。
【００２３】
図１、図２及び図３に示すように、緑化ポール１は、地中に埋設された基礎部２と、基礎部２に水平方向に離間して立設された複数の柱部３と、これら柱部３に上下に所定間隔を隔てて複数設けられた受け板４と、これら受け板４上に設けられ上下に延びる筒状の内側メッシュ層５と、内側メッシュ層５の内周側の空間に充填され植物を生育させるための芯材６と、内側メッシュ層５の外周に内側メッシュ層５を覆うように設けられ植物を植え込むための植込層７と、植込層７内に設けられ植込層７に水を供給する給水管８と、植込層７の外周に巻回され植込層７に植え込まれた植物の通過を許容しつつ植込層７を保持するための外側メッシュ層９とを備えて構成される。
【００２４】
基礎部２は、地中に設けられるコンクリート基礎部１０と、コンクリート基礎部１０に固定され柱部３を支持するためのフレーム基礎部１１とからなる。フレーム基礎部１１は、コンクリート基礎部１０にそのまま落とし込めるように上下に離間して配置された底板１２と天板１３を複数本の受管１４で繋いで構成される。受管１４は、柱部３より大径の金属管からなり、内部に柱部３を挿入するための挿入部１５を有する。受管１４は、底板１２上に環状に６本等間隔に配置されている。図７に示すように、天板１３には柱部３を受管１４に挿通させるための孔１６が形成されている。天板１３の中央には、コンクリート打設時に天板１３と底板１２との間の空間にコンクリートが回りやすいように直径１５ｃｍ程度の流通孔１７が形成されている。また、底板１２の四隅には、コンクリート基礎部１０に底板１２を固定するボルト（図示せず）を挿通するための直径１．５ｃｍ程度の孔（図示せず）が形成されている。図１及び図３に示すように、天板１３上には、芯材６内の水を受けるための下部容器１８が設けられる。下部容器１８は、平面視円形に形成されており、６本の柱部３で囲まれる空間の中心と同軸上に配置される。また、下部容器１８は、柱部３から６ｃｍ程度はみ出す大きさに形成されており、それぞれの柱部３を上下に貫通させるようになっている。
【００２５】
柱部３は、単管サイズのステンレス管又はガス管等の管材からなり、それぞれ下端部を受管１４の挿入部１５に挿入されるようになっている。柱部３はそれぞれの挿入部１５に挿入されることで平行かつ環状に配置されるようになっている。図６に示すように、柱部３の上端部には、柱部３同士を接続するための接続部材１９が設けられている。接続部材１９は、それぞれの柱部３に挿入される複数の鉤爪状の爪部２０と、柱部３の上方に位置されそれぞれの爪部２０を連結する連結部２１とを備える。
【００２６】
図３、図４及び図５に示すように、受け板４は、アルミまたはアルマイトにて下部容器１８とほぼ同じ大きさに形成された皿型の円形盤からなる。受け板４同士の間隔は約１ｍに設定されており、上下方向に多段に配置されている。受け板４の中央には、直径２ｃｍ程度の排水孔２２が形成されており、受け板４に集まった水を排水孔２２を通して芯材６の中央付近に流し落とすようになっている。また受け板４上には、樹脂洗面器状の保水容器２３が受け板４との間に均等な隙間（図示せず）を形成するように設けられる。これにより、受け板４の外周部から上記隙間を通って受け板４の中心に水が集まるようになっている。保水容器２３内には、籾殻クンタンと保水材を混合してなる保水層２６が充填されている。
【００２７】
図３及び図６に示すように、内側メッシュ層５は、６本の柱部３で囲まれる空間に樹脂からなるメッシュシート２４を保水容器２３を包むように筒状に張り込んでなる。このとき、矩形状のメッシュシート２４を６本の柱部３で囲まれる空間内で筒状に丸めることで樹脂の反発力により柱部３に沿ってメッシュシート２４を張り込むことができる。メッシュシート２４は、柱部３に沿って張り込んだときの合わせ目（メッシュシートの周方向の両端が重なる周方向の長さ）が２０ｃｍ以上となるように周方向の寸法を決定されると共に、上下の受け板４間を完全に塞ぐように上下方向の寸法を決定されている。また、メッシュシート２４の目は１ｃｍ×１ｃｍ程度のものとされ、太い根の進入を防ぎ、成長に必要な吸収根の進入のみを許容するように根の進入を抑制すると共に、後述する芯材６を受け止めて保持するようになっている。
【００２８】
図８（ａ）に示すように、芯材６は、多孔質軽量材に有機完熟バークと保水材を適度に混入してなるものであり、内側メッシュ層５の内周側の空間に充填されている。また、図６及び図８（ｂ）に示すように、最上段の芯材６上には、芯材６の飛散を防止すると共に、芯材６中の水分の蒸散を防止するための飛散・蒸散防止層２７が設けられている。飛散・蒸散防止層２７は、赤玉土、あるいは鹿沼土、もしくはこれらを混合したもので形成されており、深さ約３０ｃｍに形成されている。また、飛散・蒸散防止層２７と内側メッシュ層５の間には、飛散・蒸散防止層２７を保持するための不織布２５が設けられている。
【００２９】
図１及び図２に示すように、植込層７は、水苔と多孔質軽量材を混ぜ込んでなる混合水苔からなり、厚さ１０ｃｍ程度に形成される。植込層７に植える植物としては、ポットものの地被類などを用いるとよい。
【００３０】
給水管８は、給水点滴管からなり、外周に水噴出用の孔（図示せず）を有する。給水管８は、６本の柱部３に下部から上方に延びると共に柱部３に順に掛け渡されるように螺旋状に巻き上げられて敷設されている。また、給水管８は、最上部（先端部）に３０ｃｍ程の余裕を有し、最上部を芯材６の中央に差し込んで芯材６の多孔質軽量材間に落とし込まれている。
【００３１】
外側メッシュ層９は、植込層７の外周に内側メッシュ層５より目の大きなメッシュシート２８を巻き付けてなる。このメッシュシート２８の目は２．５ｃｍ×２．５ｃｍ程度のものとされている。
【００３２】
また、植込層７の上部には、ドライミストを噴出する噴出部２９が設けられており、植込層７内には、噴出部２９にドライミストを供給するためのドライミスト供給管３０が敷設されている。
【００３３】
次に本実施の形態の作用を述べる。
【００３４】
地上に緑化ポール１を設置する場合、図９に示すように、地面Ｇに穴３１を掘ると共に穴３１内にコンクリート基礎部１０の下部３２を設け、この下部３２の上にフレーム基礎部１１をボルトにて取り付ける。この後、フレーム基礎部１１の受管１４のそれぞれに柱部３の下端部を挿入する。これにより、柱部３が互いに平行に、かつ、環状に配置される。
【００３５】
この後、図１０に示すように、基礎部２の天板１３上に下部容器１８を、それぞれの柱部３を挿通させて設け、下部容器１８上に重ねるように柱部３に受け板４を取り付け、受け板４上に保水容器２３を取り付け、保水容器２３内に保水層２６を設ける。しかるのち、受け板４上に内側メッシュ層５を設け、内側メッシュ層５で囲まれる空間に芯材６を充填する。内側メッシュ層５の設置は、６本の柱部３で囲まれる空間内に筒状に丸めたメッシュシート２４を挿入することで行う。６本の柱部３で囲まれる空間内に挿入されたメッシュシート２４は、その反発力によって柱部３に圧接され、柱部３に保持される。芯材６は高さ約１ｍとなるようにし、芯材６の上方に突出するメッシュシート２４は芯材６の上面を覆うように径方向内側に折り畳む。
【００３６】
以降、図１１、図１２及び図８に示すように、既設の受け板４より所定間隔上方の柱部３に受け板４を取り付け、受け板４上に保水容器２３を取り付け、保水容器２３内に保水層２６を設け、受け板４上に内側メッシュ層５を設け、内側メッシュ層５で囲まれる空間に芯材６を充填する作業を順次繰り返し、受け板４、保水容器２３、保水層２６、内側メッシュ層５及び芯材６からなる内部ブロック３３を多段に形成する。また、最上段に位置される内部ブロック３３の芯材６上には、飛散・蒸散防止層２７を設けると共に飛散・蒸散防止層２７と内側メッシュ層５との間に不織布２５を設け、各柱部３に接続部材１９の爪部２０を挿入して柱部３同士を接続する。
【００３７】
次に図１及び図５に示すように、６本の柱部３に下端部から上端部に螺旋状に巻き上げるように給水管８を敷設する。このとき、給水管８の最上部に３０ｃｍほどの余裕を持たせ、最上部を芯材６の中央に差し込んで芯材６の多孔質軽量材間に落とし込む。
【００３８】
次に緑化ポール１の高さに合わせて加工した帯状の樹脂メッシュシート２８を下部より螺旋状に巻き上げて外側メッシュ層９を形成しつつ、外側メッシュ層９と内側メッシュ層５との間に、水苔と多孔質軽量材を混ぜ込んだ混合水苔をバランスよく詰め込みながら形をとっていく。
【００３９】
このとき、給水管８に無理な力を加えないように気をつけ、更に給水管８の内側の柱部３に沿うように地上部よりドライミスト供給管３０を敷設する。ドライミスト供給管３０は最上部で１ｍほどの余裕を持たせ巻いておき、植込層７の上部にドライミストを噴出する噴出部２９を設ける。
【００４０】
この後、フレーム基礎部１１の周囲にコンクリートを打設してコンクリート基礎部１０を形成し、給水管８に水を流して植込層７に給水し、植込層７が湿ったところで更に植込層７の形を整え、外側よりステンレス線等で等ピッチ（３００〜５００ｍｍ）に締め込み、外側メッシュ層９と植込層７の強化と成形を行う。
【００４１】
最後に植込層７に四季を通じて美しく艶のある植物を多数種（３０以上）植え込む。
【００４２】
最上部から１ｍばかりのところまでは、山もみじなどの日陰にも強く、維持育成に適した落葉樹の苗木を植え付けるとよい。
【００４３】
緑化ポール１自体の植栽は宿根性地被を中心にするとよい。花のほか葉の色や大きさの変化も楽しめる。
【００４４】
また、外側メッシュ層９にＬＥＤなどの環境に負荷の小さな照明（図示せず）を設け、季節により種々の趣を楽しむことも可能である。照明は、電池で作動する蛍程度の明るさのものが好ましい。季節感と緑化ポール１の樹木としての抑制された自然な成長が、短い時間で自然なものとして街の調和景観に貢献する。
【００４５】
また、街路樹３本に対して２本の割合で街路樹間に緑化ポール１を設置することで従来の街路樹間に生態系を育む微小空間が生まれ、街路樹が本来の美しい樹形に戻ることも考えられる。
【００４６】
このように、地上に周方向に所定の間隔を隔てて起立して設けられる複数の柱部３と、これら柱部３に上下に間隔を隔てて複数設けられた受け板４と、これら受け板４上に設けられ上下に延びる筒状の内側メッシュ層５と、内側メッシュ層５の内周側の空間に充填され植物を生育させるための芯材６と、内側メッシュ層５の外周に内側メッシュ層５を覆うように設けられ植物を植え込むための植込層７と、植込層７内に設けられ植込層７に水を供給する給水管８と、植込層７の外周に巻回され植込層７に植え込まれた植物の通過を許容しつつ植込層７を保持するための外側メッシュ層９とを備えて緑化ポール１を構成したため、緑化ポール１上に植栽した樹木の成長を、根と根が植えられた基盤の量的な限界との関係で自己抑制させることができ、街路樹と比べて管理費を圧倒的に安価にでき、緑化ポール１を自然任せにすることで都市の縮退に伴う税収減による都市景観の劣化も防ぐことができ、景観的な美しさを安価な管理費で長く保つことができる。
【００４７】
また、都市においては、以下の効果が期待できる。
【００４８】
１．管理費減による経済効果
２．都市景観の新たな美観の創造
３．植物を自在に使ったランドマーク
４．カーボンオフセット効果
５．四季を通して花が咲くことによる微小空間の生態系の調整
６．ドライミスト等を構造的に組み込み、ヒートアイランド化の積極的な解消
７．ビルの雨どいから緑化ポール１へ給水、又は街路樹植栽帯下部にビールケース状のものを塩ビシートで包んで雨水を溜め込み緑化ポール１へ給水する等により雨水の有効利用
８．花が咲くことにより蝶やその他の昆虫も集まりまたそれを捕食する蟷螂やトカゲも集まり、都市に小さな生物育成空間が出来ることによる身近な自然による癒しと本来の美観効果
なお、柱部３は、基礎部２に６本設けられるものとしたが、平行かつ環状に配置されるものであれば３本以上の複数であってもよい。
【００４９】
また、地中に基礎部２を埋設し、基礎部２に柱部３を立設するものとしたが、基礎部２を省略し、地上に複数の柱部３を周方向に所定の間隔を隔てて起立して設けるものとしてもよい。この場合、緑化ポール１の設置位置は地面に限るものではなく、建物であってもよい。すなわち、上述の地上とは、建物上を含む。
【符号の説明】
【００５０】
１  緑化ポール
２  基礎部
３  柱部
４  受け板
５  内側メッシュ層
６  芯材
７  植込層
８  給水管
９  外側メッシュ層
１５  挿入部
２２  排水孔
２３  保水容器
２９  噴出部
３０  ドライミスト供給管
【図１】
2011067140.tif 000003
【図２】
2011067140.tif 000004
【図３】
2011067140.tif 000005
【図４】
2011067140.tif 000006
【図５】
2011067140.tif 000007
【図６】
2011067140.tif 000008
【図７】
2011067140.tif 000009
【図８】
2011067140.tif 000010
【図９】
2011067140.tif 000011
【図１０】
2011067140.tif 000012
【図１１】
2011067140.tif 000013
【図１２】
2011067140.tif 000014
【図１３】
2011067140.tif 000015